(57)【要約】【課題】  タイムシフト機能を提供するデジタル記録／再生装置及びその方法を提供する。【解決手段】  タイムシフト機能を具現できる第１データ貯蔵媒体と、タイムシフト機能を具現できない第２データ貯蔵媒体にデータ記録命令を受けた場合、入力された圧縮データを前記第１データ貯蔵媒体及び前記第２データ貯蔵媒体に共に記録し、記録中の前記データに対する再生命令が入力されれば、データ再生のために前記第１データ貯蔵媒体に記録されたデータを読出す制御部を含むデジタル記録／再生装置である。これにより、ユーザの命令によってデジタル記録／再生装置がタイムシフト機能を具現し難いデータ貯蔵媒体にデータを記録する場合にも、データの記録と同時に記録されたデータを再生してユーザに出力するタイムシフト機能を提供しうる。【選択図】      図２
2004311014.tif 000002
【特許請求の範囲】
【請求項１】
タイムシフト機能を具現できる第１データ貯蔵媒体と、
タイムシフト機能を具現できない第２データ貯蔵媒体にデータ記録命令を受けた場合、入力された圧縮データを前記第１データ貯蔵媒体及び前記第２データ貯蔵媒体に共に記録し、
記録中の前記データに対する再生命令が入力されれば、データ再生のために前記第１データ貯蔵媒体に記録されたデータを読出す制御部を含むことを特徴とするデジタル記録／再生装置。
【請求項２】
入力データを圧縮し、圧縮されたデータを前記制御部に出力するデータエンコーダをさらに含み、
前記第２データ貯蔵媒体の記録ビット率が所定値または所定範囲以内であることが要求される場合、前記データエンコーダは前記制御部の制御によって前記要求を満足すべくデータ生成量を調節することを特徴とする請求項１に記載のデジタル記録／再生装置。
【請求項３】
前記制御部は前記第２データ貯蔵媒体に入力された圧縮データ記録が終了すれば、前記第１データ貯蔵媒体に記録された同じ前記圧縮データを削除することを特徴とする請求項１に記載のデジタル記録／再生装置。
【請求項４】
前記第１データ貯蔵媒体はハードディスクであることを特徴とする請求項１に記載のデジタル記録／再生装置。
【請求項５】
前記第２データ貯蔵媒体は光記録媒体であることを特徴とする請求項１に記載のデジタル記録／再生装置。
【請求項６】
前記第２データ貯蔵媒体は着脱式データ貯蔵媒体であることを特徴とする請求項１に記載のデジタル記録／再生装置。
【請求項７】
前記第２データ貯蔵媒体は光記録媒体であることを特徴とする請求項４に記載のデジタル記録／再生装置。
【請求項８】
前記第２データ貯蔵媒体は着脱式データ貯蔵媒体であることを特徴とする請求項４に記載のデジタル記録／再生装置。
【請求項９】
前記データはビデオデータであることを特徴とする請求項１に記載のデジタル記録／再生装置。
【請求項１０】
タイムシフト機能を具現できる第１データ貯蔵媒体と、
タイムシフト機能を具現できない第２データ貯蔵媒体にデータ記録命令を受けた場合、入力された圧縮データを前記第１データ貯蔵媒体に記録し、前記第１データ貯蔵媒体に所定量の圧縮データが記録されれば、前記第１データ貯蔵媒体に記録された前記圧縮データを読出し始めて前記第２データ貯蔵媒体に記録し、
記録中の前記データに対する再生命令が入力されれば、データ再生のために前記第１データ貯蔵媒体に記録されたデータを読出す制御部を含むことを特徴とするデジタル記録／再生装置。
【請求項１１】
入力データを圧縮し、圧縮されたデータを前記制御部に出力するデータエンコーダをさらに含み、
前記第２データ貯蔵媒体の記録ビット率が所定値または所定範囲以内であることが要求される場合、前記制御部は前記第１データ貯蔵媒体及び第２データ貯蔵媒体に記録されたデータ量を比較して、前記第２データ貯蔵媒体の記録ビット率が前記所定値または所定範囲以内になるように前記データエンコーダを制御して、前記データエンコーダのデータ生成量を調節することを特徴とする請求項１０に記載のデジタル記録／再生装置。
【請求項１２】
前記制御部は前記第２データ貯蔵媒体に入力された圧縮データ記録が終了すれば、前記第１データ貯蔵媒体に記録された同じ前記圧縮データを削除することを特徴とする請求項１０に記載のデジタル記録／再生装置。
【請求項１３】
前記第１データ貯蔵媒体はハードディスクであることを特徴とする請求項１０に記載のデジタル記録／再生装置。
【請求項１４】
前記第２データ貯蔵媒体は光記録媒体であることを特徴とする請求項１０に記載のデジタル記録／再生装置。
【請求項１５】
前記第２データ貯蔵媒体は着脱式データ貯蔵媒体であることを特徴とする請求項１０に記載のデジタル記録／再生装置。
【請求項１６】
前記第２データ貯蔵媒体は光記録媒体であることを特徴とする請求項１３に記載のデジタル記録／再生装置。
【請求項１７】
前記第２データ貯蔵媒体は着脱式データ貯蔵媒体であることを特徴とする請求項１３に記載のデジタル記録／再生装置。
【請求項１８】
前記データはビデオデータであることを特徴とする請求項１０に記載のデジタル記録／再生装置。
【請求項１９】
（ａ）タイムシフト機能を具現できない第２データ貯蔵媒体にデータ記録命令を入力される段階と、
（ｂ）入力データを圧縮して圧縮データを生成する段階と、
（ｃ）前記圧縮データをタイムシフト機能を具現できる第１データ貯蔵媒体及び前記第２データ貯蔵媒体に共に記録する段階と、
（ｄ）記録中の前記データに対する再生命令が入力されれば、データ再生のために前記第１データ貯蔵媒体に記録されたデータを読出す段階とを含むことを特徴とするデジタル記録／再生方法。
【請求項２０】
前記第２データ貯蔵媒体の記録ビット率が所定値または所定範囲以内であることが要求される場合、
前記（ｂ）段階は前記要求を満足すべくデータ生成量を調節して圧縮データを生成する段階であることを特徴とする請求項１９に記載のデジタル記録／再生方法。
【請求項２１】
（ｅ）前記第２データ貯蔵媒体への前記圧縮データの記録が終了すれば、前記第１データ貯蔵媒体に記録された同じ前記圧縮データを削除する段階をさらに含むことを特徴とする請求項１９に記載のデジタル記録／再生方法。
【請求項２２】
前記第１データ貯蔵媒体はハードディスクであることを特徴とする請求項１９に記載のデジタル記録／再生方法。
【請求項２３】
前記第２データ貯蔵媒体は光記録媒体であることを特徴とする請求項１９に記載のデジタル記録／再生方法。
【請求項２４】
前記第２データ貯蔵媒体は着脱式データ貯蔵媒体であることを特徴とする請求項１９に記載のデジタル記録／再生方法。
【請求項２５】
前記第２データ貯蔵媒体は光記録媒体であることを特徴とする請求項２２に記載のデジタル記録／再生方法。
【請求項２６】
前記第２データ貯蔵媒体は着脱式データ貯蔵媒体であることを特徴とする請求項２２に記載のデジタル記録／再生方法。
【請求項２７】
前記データはビデオデータであることを特徴とする請求項１９に記載のデジタル記録／再生方法。
【請求項２８】
（ａ）タイムシフト機能を具現できない第２データ貯蔵媒体にデータ記録命令を入力される段階と、
（ｂ）入力データを圧縮して圧縮データを生成する段階と、
（ｃ）前記圧縮データをタイムシフト機能を具現できる第１データ貯蔵媒体に記録する段階と、
（ｄ）前記第１データ貯蔵媒体に所定量の圧縮データが記録されれば、前記第１データ貯蔵媒体に記録された前記圧縮データを読出し始めて前記第２データ貯蔵媒体に記録する段階と、
（ｅ）記録中である前記データに対する再生命令が入力されれば、データ再生のために前記第１データ貯蔵媒体に記録されたデータを読出す段階と、を含むことを特徴とするデジタル記録／再生方法。
【請求項２９】
前記第２データ貯蔵媒体の記録ビット率が所定値または所定範囲以内であることが要求される場合、
（ｆ）前記第１データ貯蔵媒体及び第２データ貯蔵媒体に記録されたデータ量を比較して前記第２データ貯蔵媒体の記録ビット率が前記所定値または所定範囲以内になるように圧縮データの生成量を調節する段階をさらに含むことを特徴とする請求項２８に記載のデジタル記録／再生方法。
【請求項３０】
（ｇ）前記第２データ貯蔵媒体への前記圧縮データの記録が終了すれば、前記第１データ貯蔵媒体に記録された同じ前記圧縮データを削除する段階をさらに含むことを特徴とする請求項２８に記載のデジタル記録／再生方法。
【請求項３１】
前記第１データ貯蔵媒体はハードディスクであることを特徴とする請求項２８に記載のデジタル記録／再生方法。
【請求項３２】
前記第２データ貯蔵媒体は光記録媒体であることを特徴とする請求項２８に記載のデジタル記録／再生方法。
【請求項３３】
前記第２データ貯蔵媒体は着脱式データ貯蔵媒体であることを特徴とする請求項２８に記載のデジタル記録／再生方法。
【請求項３４】
前記第２データ貯蔵媒体は光記録媒体であることを特徴とする請求項３１に記載のデジタル記録／再生方法。
【請求項３５】
前記第２データ貯蔵媒体は着脱式データ貯蔵媒体であることを特徴とする請求項３１に記載のデジタル記録／再生方法。
【請求項３６】
前記データはビデオデータであることを特徴とする請求項２８に記載のデジタル記録／再生方法。
【発明の詳細な説明】
【技術分野】
【０００１】
本発明はタイムシフト機能を提供するデジタル記録／再生装置及びその方法に関する。
【背景技術】
【０００２】
半導体及びデジタルデータ貯蔵媒体に関する技術の発展につれて、従来のアナログ方式のデータ記録／再生装置に代わってデジタル方式のデータ記録／再生装置が広く普及されている。
【０００３】
デジタル方式のデータ記録／再生装置は、アナログ方式またはデジタル方式のテレビ信号などのデータをデジタル方式で圧縮して保存し、ユーザが再生を所望すれば保存されたデータを再び復号化してテレビやモニタなどのディスプレー装置を通じて再生する。
【０００４】
最近では、データ貯蔵媒体としてハードディスクと高容量の着脱式貯蔵媒体を共に装着したデジタルビデオ記録／再生装置が多様なメーカーを通じて市販されている。
【０００５】
一方、デジタル方式のデータ記録／再生装置は従来のアナログ方式のデータ記録／再生装置が提供していない多様な機能を提供する。かかる機能の１つがタイムシフト機能である。
【０００６】
タイムシフト機能とは、デジタルデータを記録すると共に既に記録されたデータを復号化して再生する機能をいう。例えば、放送されるテレビプログラムの録画中にユーザの命令によって既に録画されたプログラムの最初から再生してユーザに表示する。しかし、現在入力されるテレビ信号をディスプレー装置を通じてユーザにリアルタイムで示すことはタイムシフトに該当しない。すなわち、タイムシフトとは、テレビ信号をデータ貯蔵媒体に記録した後、その記録されたテレビ信号を再び再生して表示することを言う。タイムシフト機能に関するさらに詳細な説明は特許文献１に開示されている。
【０００７】
タイムシフト機能を具現するためにデジタルデータ記録／再生装置は、入力データをリアルタイムで圧縮してデータ貯蔵媒体に記録する作業と、そのデータ貯蔵媒体の他の領域に既に記録されたデータを読出して復号及び再生する作業を交互に行うためにデータ貯蔵媒体のいろいろな領域を頻繁に移動しつつ読取り／書込み動作を繰り返さねばならない。
【０００８】
したがって、タイムシフト機能はデジタルデータ記録／再生装置に装着されたデータ貯蔵媒体の読取り及び書込み特性に従属的である。すなわち、タイムシフト機能の具現のためにデータ貯蔵媒体がハードディスクのように非常に速いアクセスタイムとデータ読取り及び書込み性能とが保証されることが要求される。したがって、アクセスタイムが遅いか、データ記録途中に頻繁なトラックジャンプが許容されないデータ貯蔵媒体を使用する場合にはタイムシフト機能を正しく具現し難い。
【０００９】
タイムシフト機能を具現し難いデータ貯蔵媒体としては、ＣＤ−Ｒ、ＣＤ−ＲＷ、ＤＶＤ−Ｒ、ＤＶＤ−ＲＷ、ＤＶＤ＋Ｒ及びＤＶＤ＋ＲＷなどの光記録媒体がある。
【００１０】
光記録媒体の特定領域にデータを記録するか、記録されたデータを読出すためにピックアップを正確に移動させるためには非常に精密な制御技術が要求され、アクセスタイムはハードディスクのアクセスタイムに比べて長い。また、論理的に頻繁なピックアップの移動は、今後この媒体の再生時にファイルシステムの速度特性を低下させる問題点がある。
【００１１】
また、データ記録中に他の位置のデータを読込むためにピックアップを移動させる度に以前に記録していたデータ領域の一部が引続き浪費される物理的な制約が存在する。
【００１２】
図１は、光記録媒体の記録特性を示すグラフである。図１を参照するに、ユーザの命令によってピックアップがデータを記録するために光を照射した開始時点はＴ１である。しかし、光記録媒体にデータを記録するための有効な光度Ｐに到達した時点は、Ｔ１から一定時間が経ったＴ２である。記録を中止する場合にも同様である。すなわち、実際に記録中止命令が下された時点はＴ３であるが光度が“０”になった時点はＴ４であって、Ｔ３から一定時間がさらにかかる。
【００１３】
したがって、Ｔ１からＴ２、Ｔ３からＴ４までの区間の間に光が照射された光記録媒体上の領域は有効なデータが記録されずに浪費されてしまう。
【００１４】
前述したように、ユーザがデジタルデータ記録／再生装置に装着された光記録媒体と同じ媒体にデータ記録中にタイムシフト機能を選択してデータ再生を希望する場合、デジタルデータ記録／再生装置がタイムシフト機能を提供できないという問題がある。
【特許文献１】米国特許第６，４８０，６６７号公報
【特許文献２】日本特許公開２０００−２２４５３３
【特許文献１】大韓民国特許公開２００１−７３７１０
【発明の開示】
【発明が解決しようとする課題】
【００１５】
従って、本発明が解決しようとする技術的課題は、タイムシフト機能の具現が容易でないデータ貯蔵媒体にデータを記録しつつ既に記録されたデータを再生するタイムシフト機能を提供するデジタル記録／再生装置及びその方法を提供するところにある。
【課題を解決するための手段】
【００１６】
前記課題を達成するための本発明に係るタイムシフト機能を提供するデジタル記録／再生装置は、タイムシフト機能を具現できる第１データ貯蔵媒体と、タイムシフト機能を具現できない第２データ貯蔵媒体にデータ記録命令を受けた場合、入力された圧縮データを前記第１データ貯蔵媒体及び前記第２データ貯蔵媒体に共に記録し、記録中の前記データに対する再生命令が入力されれば、データ再生のために前記第１データ貯蔵媒体に記録されたデータを読出す制御部とを含む。
【００１７】
また、入力データを圧縮して圧縮されたデータを前記制御部に出力するデータエンコーダをさらに含み、前記第２データ貯蔵媒体の記録ビット率が所定値または所定範囲以内であることが要求される場合、前記データエンコーダは前記制御部の制御によって前記要求を満足すべくデータ生成量を調節することを特徴とすることが望ましい。
【００１８】
また、前記制御部はデータ再生のために前記第１データ貯蔵媒体から読出されたデータを前記第１データ貯蔵媒体から削除することが望ましい。
【００１９】
前記課題を達成するために、本発明に係るタイムシフト機能を提供する他のデジタル記録／再生装置は、タイムシフト機能を具現できる第１データ貯蔵媒体と、タイムシフト機能を具現できない第２データ貯蔵媒体にデータ記録命令を受けた場合、入力された圧縮データを前記第１データ貯蔵媒体に記録し、前記第１データ貯蔵媒体に所定量の圧縮データが記録されれば、前記第１データ貯蔵媒体に記録された前記圧縮データを読出し始めて前記第２データ貯蔵媒体に記録し、記録中の前記データに対する再生命令が入力されれば、データ再生のために前記第１データ貯蔵媒体に記録されたデータを読出す制御部とを含むことが望ましい。
【００２０】
また、入力データを圧縮して圧縮されたデータを前記制御部に出力するデータエンコーダをさらに含み、前記第２データ貯蔵媒体の記録ビット率が所定値または所定範囲以内であることが要求される場合、前記制御部は前記第１データ貯蔵媒体と第２データ貯蔵媒体に記録されたデータ量を比較して前記第２データ貯蔵媒体の記録ビット率が前記所定値または所定範囲以内になるように前記データエンコーダを制御して前記データエンコーダのデータ生成量を調節することを特徴とすることが望ましい。
【００２１】
また、前記制御部はデータ再生のために前記第１データ貯蔵媒体から読出されたデータを前記第１データ貯蔵媒体から削除することが望ましい。
【００２２】
また、前記本発明に係るデジタル記録／再生装置及び他のデジタル記録／再生装置の前記第１データ貯蔵媒体はハードディスクであることが望ましく、前記第２データ貯蔵媒体は着脱式データ貯蔵媒体であって、光記録媒体であることが望ましい。
【００２３】
前記課題を達成するための本発明に係るタイムシフト機能を提供するデジタル記録／再生方法は、（ａ）タイムシフト機能を具現できない第２データ貯蔵媒体にデータ記録命令を入力される段階と、（ｂ）入力データを圧縮して圧縮データを生成する段階と、（ｃ）前記圧縮データをタイムシフト機能を具現できる第１データ貯蔵媒体及び前記第２データ貯蔵媒体に共に記録する段階と、（ｄ）記録中の前記データに対する再生命令が入力されれば、データ再生のために前記第１データ貯蔵媒体に記録されたデータを読出す段階を含む。
【００２４】
また、前記第２データ貯蔵媒体の記録ビット率が所定値または所定範囲以内であることが要求される場合、前記（ｂ）段階は前記要求を満足すべくデータ生成量を調節して圧縮データを生成する段階であることが望ましい。
【００２５】
また、（ｅ）前記第２データ貯蔵媒体への前記圧縮データの記録が終了すれば、前記第１データ貯蔵媒体に記録された同じ前記圧縮データを削除する段階をさらに含むことが望ましい。
【００２６】
前記課題を達成するために、本発明に係るタイムシフト機能を提供する他のデジタル記録／再生方法は、（ａ）タイムシフト機能を具現できない第２データ貯蔵媒体にデータ記録命令を入力される段階と、（ｂ）入力データを圧縮して圧縮データを生成する段階と、（ｃ）前記圧縮データをタイムシフト機能を具現できる第１データ貯蔵媒体に記録する段階と、（ｄ）前記第１データ貯蔵媒体に所定量の圧縮データが記録されれば前記第１データ貯蔵媒体に記録された前記圧縮データを読出し始めて前記第２データ貯蔵媒体に記録する段階と、（ｅ）記録中である前記データに対する再生命令が入力されれば、データ再生のために前記第１データ貯蔵媒体に記録されたデータを読出す段階とを含む。
【００２７】
また、前記第２データ貯蔵媒体の記録ビット率が所定値または所定範囲以内であることが要求される場合、（ｆ）前記第１データ貯蔵媒体と第２データ貯蔵媒体に記録されたデータ量を比較して前記第２データ貯蔵媒体の記録ビット率が前記所定値または所定範囲以内になるように圧縮データの生成量を調節する段階をさらに含むことが望ましい。
【００２８】
また、（ｆ）前記第２データ貯蔵媒体への前記圧縮データの記録が終了すれば、前記第１データ貯蔵媒体に記録された同じ前記圧縮データを削除する段階をさらに含むことが望ましい。
【００２９】
また、前記本発明に係るデジタル記録／再生方法及び他のデジタル記録／再生方法の前記第１データ貯蔵媒体はハードディスクであることが望ましく、前記第２データ貯蔵媒体は着脱式データ貯蔵媒体であって、光記録媒体であることが望ましい。
【発明の効果】
【００３０】
前述したように本発明に係るタイムシフト機能を提供するデジタル記録／再生装置及びその方法は、ユーザの命令によってデジタル記録／再生装置がタイムシフト機能を具現し難いデータ貯蔵媒体にデータを記録する場合にも、データの記録と同時に記録されたデータを再生してユーザに出力するタイムシフト機能を提供できる。
【発明を実施するための最良の形態】
【００３１】
以下、添付された図面に基づいて本発明に係る望ましい実施例を詳細に説明する。
【００３２】
図２は、本発明の望ましい実施例に係るタイムシフト機能を提供するデジタル記録／再生装置のブロック図である。図２を参照するに、デジタル記録／再生装置１００はビデオデータエンコーダ１１０、制御部１３０、第１データ貯蔵媒体１５０及びビデオデータデコーダ１７０を含み、ユーザの選択により着脱式である第２データ貯蔵媒体２００が装着される。
【００３３】
ビデオデータエンコーダ１１０は入力されたビデオデータを所定の圧縮方式によってビデオデータを圧縮した後で制御部１３０に出力する。
【００３４】
制御部１３０はビデオデータエンコーダ１１０から圧縮されたビデオデータを入力されて第１データ貯蔵媒体１５０及び第２データ貯蔵媒体２００に圧縮されたビデオデータを記録または削除するか、第１データ貯蔵媒体１５０及び第２データ貯蔵媒体２００に記録されたデータを読出してビデオデータデコーダ１７０に出力する。
【００３５】
制御部１３０は第１データ貯蔵媒体１５０及び第２データ貯蔵媒体２００にデータを記録するためのドライブの機能を含む包括的な装置である。また、デジタル記録／再生装置１００は、第１データ貯蔵媒体１５０及び第２データ貯蔵媒体２００のためのそれぞれのドライブ（図示せず）を備えることが一般的である。
【００３６】
第１データ貯蔵媒体１５０はタイムシフト機能具現のために十分に速いデータアクセスタイム及びデータ読取り／書込み特性を有する媒体であって、例えば、ハードディスクが該当する。
【００３７】
ビデオデータデコーダ１７０は制御部１３０から第１データ貯蔵媒体１５０及び第２データ貯蔵媒体２００に記録されたデータを入力されて所定方式でデコーディングしてディスプレー装置（図示せず）に出力する。
【００３８】
第２データ貯蔵媒体２００は媒体の特性上タイムシフト機能具現が容易でない媒体であって、例えば光記録媒体が該当する。
【００３９】
前述したようなデジタル記録／再生装置の構造によって本発明に係るタイムシフト機能を提供するデジタル記録／再生方法を説明する。
【００４０】
図３は、本発明に係るタイムシフト機能を提供するデジタル記録／再生方法の一実施例を示すフローチャートである。
【００４１】
ユーザによりタイムシフト機能を具現できない第２データ貯蔵媒体２００がデジタル記録／再生装置１００に挿入され、デジタル記録／再生装置１００の制御部１３０はユーザから所定ビデオデータを第２データ貯蔵媒体２００に記録することを命令する記録命令を入力される（第３１０段階）。
【００４２】
所定のビデオデータがビデオデータエンコーダ１１０に入力されれば、ビデオデータエンコーダ１１０は入力ビデオデータを圧縮して圧縮データを生成する（第３２０段階）。生成された圧縮データは制御部１３０に出力される。
【００４３】
ビデオデータエンコーダ１１０から圧縮データを入力された制御部１３０は圧縮データをタイムシフト機能を具現できる第１データ貯蔵媒体１５０及び第２データ貯蔵媒体２００に共に記録する（第３３０段階）。その結果、第１データ貯蔵媒体１５０及び第２データ貯蔵媒体２００には同じ圧縮データが記録される。
【００４４】
一方、第１データ貯蔵媒体１５０は第２データ貯蔵媒体２００に記録されるデータと同じデータを保存するために第２データ貯蔵媒体２００の最大データ記録容量に該当する記録空間を残すことが望ましい。
【００４５】
データ記録中にユーザからデータの再生を命令するタイムシフト命令が制御部１３０に入力されれば（第３４０段階）、制御部１３０はデータ再生のために第１データ貯蔵媒体１５０に既に記録されたデータを読出す（第３５０段階）。
【００４６】
読出されたデータはビデオデータデコーダ１７０に入力されて延びた後（第３６０段階）、ディスプレー装置を通じて再生されてユーザに表示される（第３７０段階）。
【００４７】
別途の段階で図示していないが、制御部１３０は第２データ貯蔵媒体２００にデータ記録が完了すれば、タイムシフト機能のために第１データ貯蔵媒体１５０にも共に記録した同じデータを第１データ貯蔵媒体１５０から削除する。これは不要なデータを削除することによって、第１データ貯蔵媒体１５０のデータ貯蔵空間を効率よく使用するためである。
【００４８】
このように、ユーザがタイムシフト機能を使用できない第２データ貯蔵媒体２００にデータ記録を命令しても、同じデータをタイムシフト機能が具現可能な第１データ貯蔵媒体１５０に共に記録しておくことによって、ユーザによるタイムシフト命令がある時、第１データ貯蔵媒体１５０に記録されたデータを読出してユーザに再生できる。
【００４９】
一方、第２データ貯蔵媒体２００の記録ビット率が所定値または所定範囲以内であることが要求される場合がある。例えば、第２データ貯蔵媒体２００が光記録媒体である場合には記録倍速が等線速度（ＣＬＶ）または等角速度（ＣＡＶ）であることが要求される。
【００５０】
この際、制御部１３０は記録ビット率と第２データ貯蔵媒体２００に記録されるデータとが一時保存されるバッファ（図示せず）の大きさを考慮して圧縮されたデータ生成量を調節するようにビデオデータエンコーダ１１０を制御する。すなわち、バッファに保存された圧縮データ量が少ない場合にはさらに多くの圧縮データを生成するようにビデオデータエンコーダ１１０を制御する。実際に生成される圧縮データより多くの圧縮データを生成するための一方法として圧縮データに無意味なダミーデータを付加しうる。
【００５１】
図４は、本発明に係るタイムシフト機能を提供するデジタル記録／再生方法の他の実施例を示すフローチャートである。
【００５２】
ユーザによりタイムシフト機能を具現できない第２データ貯蔵媒体２００がデジタル記録／再生装置１００に挿入され、デジタル記録／再生装置１００の制御部１３０はユーザから所定ビデオデータを第２データ貯蔵媒体２００に記録することを命令する記録命令を入力される（第４１０段階）。
【００５３】
所定ビデオデータがビデオデータエンコーダ１１０に入力されれば、ビデオデータエンコーダ１１０は入力ビデオデータを圧縮して圧縮データを生成する（第４２０段階）。生成された圧縮データは制御部１３０に出力される。
【００５４】
ビデオデータエンコーダ１１０から圧縮データを入力された制御部１３０は圧縮データを第２データ貯蔵媒体２００ではないタイムシフト機能を具現できる第１データ貯蔵媒体１５０に記録する（第４３０段階）。
【００５５】
一方、第１データ貯蔵媒体１５０は第２データ貯蔵媒体２００に記録されるデータと同じデータを保存するために第２データ貯蔵媒体２００の最大データ記録容量に該当する記録空間を残すことが望ましい。
【００５６】
第１データ貯蔵媒体１５０に所定量の圧縮データが記録されれば第１データ貯蔵媒体１５０に記録された圧縮データを読出し始めて第２データ貯蔵媒体２００に記録する（第４４０段階）。
【００５７】
すなわち、第２データ貯蔵媒体２００に圧縮データを記録するために第１データ貯蔵媒体１５０を中間バッファとして用いる。ハードディスクのような第１データ貯蔵媒体１５０は第２データ貯蔵媒体２００とは違って最大記録ビット率が非常に高く、記録中断及び再開が自由でかつデータ中間貯蔵のためのバッファよりその貯蔵容量が大きいために、第１データ貯蔵媒体１５０に記録される入力データのビット率制御を精密にする必要がない。
【００５８】
データ記録中にユーザからデータの再生を命令するタイムシフト命令が制御部１３０に入力されれば（第４５０段階）、制御部１３０はデータ再生のために第１データ貯蔵媒体１５０に既に記録されたデータを読出す（第４６０段階）。
【００５９】
読出されたデータはビデオデータデコーダ１７０に入力されて延びた後（第４７０段階）、ディスプレー装置を通じて再生されてユーザに表示される（第４８０段階）。
【００６０】
別途の段階で図示はしていないが、制御部１３０は第２データ貯蔵媒体２００にデータ記録が完了すれば、タイムシフト機能のために第１データ貯蔵媒体１５０にも共に記録していた同じデータを第１データ貯蔵媒体１５０から削除する。これは不要なデータを削除することによって、第１データ貯蔵媒体１５０のデータ貯蔵空間を効率よく使用するためである。
【００６１】
一方、前述したように第１データ貯蔵媒体１５０はデータ中間貯蔵のためのバッファよりその貯蔵容量が大きいために制御部１３０は十分に多くのデータを第１データ貯蔵媒体１５０に先に保存した後、保存されたデータを読出して一定の記録ビット率でデータを第２データ貯蔵媒体２００に記録する。しかし、第２データ貯蔵媒体２００に記録されるために第１データ貯蔵媒体１５０に待機中のデータ量が少ない場合も生じる恐れがある。このような場合には前述した第１実施例と同様に制御部１３０は圧縮データの生成量を増加させるようにビデオデータエンコーダ１１０を制御する。
【００６２】
しかし、これと反対の場合、すなわち第１データ貯蔵媒体１５０に多くのデータが記録される場合には第１データ貯蔵媒体１５０のデータ貯蔵容量が許容する限り、ビデオデータエンコーダ１１０を制御せずとも第１データ貯蔵媒体１５０にデータを記録し続ける。
【００６３】
もし、第１データ貯蔵媒体１５０にデータ記録、第２データ貯蔵媒体２００に記録のためのデータ読出作業進行中にユーザからタイムシフト命令が入力されれば、第１データ貯蔵媒体１５０にデータ記録及び読出のためのドライブ機能を共に行う制御部１３０はデータ再生のために第１データ貯蔵媒体１５０に記録されたデータを読出さねばならないので、この場合制御部１３０は１つの記録動作と２つの読取り動作とを持続的に行う負担を負う。しかし、現在の技術水準でも、ハードディスクのような高速のアクセスタイム特性を有するデータ貯蔵媒体の場合、このような程度の作業は十分に実行可能である。
【００６４】
一方、前述した本発明の実施例はビデオデータを記録及び再生する場合を例としたが、これに限定されるものではない。また、本発明の技術的思想の範囲内で本発明が属する技術分野で当業者ならば本発明の多様な変形例及び応用例を考えられる。
【００６５】
本発明はまた、コンピュータ可読記録媒体にコンピュータ可読コードとして具現することができる。コンピュータ可読記録媒体はコンピュータシステムによって読取られるデータが保存されるあらゆる種類の記録装置を含む。コンピュータ可読記録媒体の例としては、ＲＯＭ、ＲＡＭ、ＣＤ−ＲＯＭ、磁気テープ、フロッピー（登録商標）ディスク、光データ貯蔵装置などがあり、またキャリアウェーブ（例えば、インターネットを通じた転送）の形に具現されることも含む。また、コンピュータ可読記録媒体はネットワークに連結されたコンピュータシステムに分散され、分散方式でコンピュータ可読コードとして保存されて実行されうる。
【産業上の利用可能性】
【００６６】
本発明はデジタルデータ記録及び／または再生分野に適用されうる。
【図面の簡単な説明】
【００６７】
【図１】光記録媒体の記録特性を示すグラフである。
【図２】本発明の一実施例に係るタイムシフト機能を提供するデジタル記録／再生装置のブロック図である。
【図３】本発明に係るタイムシフト機能を提供するデジタル記録／再生方法の一実施例を示すフローチャートである。
【図４】本発明に係るタイムシフト機能を提供するデジタル記録／再生方法の他の実施例を示すフローチャートである。
【符号の説明】
【００６８】
１００  デジタル記録／再生装置
１１０  ビデオデータエンコーダ
１３０  制御部
１５０  第１データ貯蔵媒体
１７０  ビデオデータデコーダ
２００  第２データ貯蔵媒体
【図１】
2004311014.tif 000003
【図２】
2004311014.tif 000004
【図３】
2004311014.tif 000005
【図４】
2004311014.tif 000006